(57)【要約】      （修正有）【課題】歯の表面に精度よく装着可能で、歯列矯正を有効に実施できる歯列矯正用ブラケットを提供する。【解決手段】スロット２４の底面２４ａと本体２２の底面とが平行でない歯列矯正用ブラケット２１であって、スロット２４の底面２４ａ上に位置してスロット２４の長手方向に延びる中心線を含み、スロット２４の底面２４ａに対して垂直な面と、本体２２の側面とが交差してできる輪郭線の全部または一部に目印２６を付した歯列矯正用ブラケット２１。目印２６は、輪郭線に形成した突条、突起、溝、切欠きから選択できる。これによって、ブラケット２１のベースポイント２４ｃを歯のミッドトランスバースプレーン３８に容易に一致させることなどが可能で、歯列矯正を有効に行うことがきる。【選択図】図５
2008029861.tif 000002
【特許請求の範囲】
【請求項１】
本体の底面とアーチワイヤスロットの底面とが平行でない歯列矯正用ブラケットであって、
アーチワイヤスロットの底面上に位置するとともに該アーチワイヤスロットの長手方向に延びる中心線を含み、該アーチワイヤスロットの底面に対して垂直な面と、本体の側面とが交差してできる輪郭線の全部または一部に目印を付したことを特徴とする歯列矯正用ブラケット。
【請求項２】
前記目印は、前記輪郭線の全部または一部に形成した突条、突起、溝、切欠きから選択されることを特徴とする請求項１に記載の歯列矯正用ブラケット。
【発明の詳細な説明】
【技術分野】
【０００１】
本発明は、歯列矯正用ブラケット（以下、適宜「ブラケット」と略称する）に関し、特に、矯正の対象となる歯の表面の適正な位置に容易に装着することができ、歯列矯正を有効に行うことのできるブラケットに関する。
【背景技術】
【０００２】
従来、歯列矯正を行うにあたって、金属製等のブラケットを患者の歯に接着剤で固定し、このブラケットに細いワイヤーを結さつして外力を加え、矯正を要する歯を適正な位置に移動させていた。
【０００３】
ブラケットを患者の歯に装着する際には、図１０に示すように、ブラケット８４の垂直方向の中心線８５を矯正対象の歯のクリニカルクラウンのフェイシャルアキシス
（Facial axis of the clinical crown、以後「ＦＡＣＣ」と呼ぶ）８１に合わせるとともに、アーチワイヤスロット８６の底面８６ａの中心（ベースポイント）８６ｂをミッドトランスバースプレーン（Midtransverse Plane）８２に合わせる必要がある。このようにブラケット８４を適正に位置決めしなければ、ブラケット８４を介して歯にアーチワイヤの荷重を適正に付加することができず、有効な歯列矯正を行うことができないからである。
【０００４】
そこで、従来、ブラケットの垂直方向の中心線をＦＡＣＣに合わせるため、ブラケットに目印を付けたものが種々用いられている。一方、ブラケットのベースポイントを歯のミッドトランスバースプレーンに合わせるにあたって、従来、例えば、ブラケットのアーチワイヤスロットに一部を固定したゲージを使用し、歯の咬合面とアーチワイヤスロットとの間の距離を測定しながらブラケットを歯に固定することなどが行われている。しかし、ブラケットのベースポイントと歯の表面とは、互いに離間するとともに、歯列の部位によってゲージの当て方を変える必要があるため、ゲージを用いてブラケットのベースポイントを歯のミッドトランスバースプレーンに合わせるのは容易ではないという問題があった。
【０００５】
一方、特許文献１には、歯の歯軸線と咬合面線とに平行する適正位置に接着固定することのできる歯列矯正用ブラケットが開示されている。このブラケットは、一対のタイウイングの中間線上に歯軸線に平行な目視可能な基準線と、この基準線と交差するアーチワイヤスロット線上に、歯の咬合面線に平行な目視可能なもう一つの基準線を備え、これらの基準線を積極的に利用してブラケットの位置を調整することができるように構成される。
【０００６】
【特許文献１】特開平８−１１２２９３号公報
【発明の開示】
【発明が解決しようとする課題】
【０００７】
上述のように、歯にブラケットを装着する際には、ブラケットの垂直方向の中心線をＦＡＣＣに合わせるとともに、ベースポイントをミッドトランスバースプレーンに合わせる必要があるが、ゲージを用いてこれを行うのは容易ではなく、特許文献１に記載のブラケットでは、ブラケットの一対のタイウイングの中間線上と、アーチワイヤスロット線上に基準線が存在するだけであるため、ブラケットのベースポイントを歯のミッドトランスバースプレーンに合わせるのは容易ではないという問題があった。
【０００８】
特に、図１１に示すように、トルクインフェイス型のブラケットを用いた場合には、ブラケット９０のベースポイント９８を矯正対象となる歯９６のミッドトランスバースプレーン９２に合わせるためには、ブラケット９０のベースポイント９８を通りアーチワイヤスロット９１の底面９１ａに対して垂直な線と本体９９の底面９９ａとが交差してできる点（目標点）１００を、歯９６のＦＡＣＣとミッドトランスバースプレーン９２とが交差するフェイシャルアキシスポイント（Facial-axis point、以後「ＦＡポイント」と呼ぶ）９４に一致させる必要があるが、目標点１００と本体９９の底面９９ａの中心点９９ｂとが大きくずれるため、ブラケット９０の目標点１００をＦＡポイント９４に位置決めするのが容易ではなく、ひいては、ブラケット９０のベースポイント９８を歯９６のミッドトランスバースプレーン９２に合わせるのは容易ではないという問題があった。
【０００９】
そこで、本発明は、上記従来の歯列矯正用ブラケット等における問題点に鑑みてなされたものであって、ブラケットの垂直方向の中心線を歯のＦＡＣＣに合わせるとともに、ブラケットのベースポイントを歯のミッドトランスバースプレーンに容易に合わせることができ、歯列矯正を有効に行うことのできる歯列矯正用ブラケットを提供することを目的とする。
【課題を解決するための手段】
【００１０】
上記目的を達成するため、本発明は、本体の底面とアーチワイヤスロットの底面とが平行でない歯列矯正用ブラケットであって、アーチワイヤスロットの底面上に位置するとともに該アーチワイヤスロットの長手方向に延びる中心線を含み、該アーチワイヤスロットの底面に対して垂直な面と、本体の側面とが交差してできる輪郭線の全部または一部に目印を付したことを特徴とする。
【００１１】
そして、本発明によれば、輪郭線の全部または一部に付した目印を、ブラケットを装着する歯のミッドトランスバースプレーンに合わせることにより、ブラケットのベースポイントをミッドトランスバースプレーン上に位置決めすることができ、さらにブラケットの中心をＦＡＣＣに合わせることにより、ブラケットを矯正対象の歯に精度よく位置決めすることができ、歯列矯正を有効に行うことができる。
【００１２】
前記目印は、前記輪郭線の全部または一部に形成した突条、突起、溝、切欠きから選択することができる。
【発明の効果】
【００１３】
以上説明したように、本発明によれば、ブラケットのベースポイントを歯のミッドトランスバースプレーンに容易に一致させることなどが可能で、歯列矯正を有効に行うことのできるブラケットを提供することができる。
【発明を実施するための最良の形態】
【００１４】
図１及び図２は、本発明にかかる歯列矯正用ブラケットの第１の実施の形態を示し、このブラケット１は、本体２上に、タイウイング３（３Ａ、３Ｂ）と、アーチワイヤスロット４（４Ａ、４Ｂ）とを備え、アーチワイヤスロット（以下、「スロット」と略称する）４の底面４ａと本体２の底面２ａとが平行な標準型のブラケットである。尚、本体２には、パッド部分が含まれる。この点については、他の実施に形態においても同様である。
【００１５】
このブラケット１の本体２の底面２ａの中心点２ｂを含み、スロット４の長手方向に対して垂直な面と、本体２の表面とが交差してできる輪郭線に、目印としての幅の狭い第１の溝５が形成されている。この第１の溝５で形成された目印は、ブラケットの垂直方法の中心線を歯のＦＡＣＣに合わせるためのものであって、従来のブラケットに付されているものと同様である。
【００１６】
また、スロット４の底面４ａ上に位置するとともにこのスロット４の長手方向に延びる中心線４ｂを含み、スロット４の底面４ａに対して垂直な面と、本体２の表面とが交差してできる輪郭線、及びこの線の端部とスロット４の中心線４ｂの端部とを結ぶタイウイング３の立ち上げ部に、目印としての幅の狭い第２の溝６（６Ａ、６Ｂ）が形成されている。この第２の溝６で形成された目印は、本発明の特徴部分であって、後述するように、第２の溝６を歯のミッドトランスバースプレーンに合わせることにより、ブラケット１のベースポイント４ｃを歯のミッドトランスバースプレーンに精度よく合わせるためのものである。
【００１７】
次に、上記ブラケット１の使用方法について図３を参照しながら説明する。尚、図３では、便宜上、歯１０のアングレーション及びトルクとも０として描いている。
【００１８】
ブラケット１を歯１０に装着するにあたって、ブラケット１の垂直方向の中心線を歯のＦＡＣＣ１１に合わせるとともに、ブラケット１のベースポイント４ｃを歯のミッドトランスバースプレーン１２に合わせる必要がある。
【００１９】
そのため、図３（ｂ）に示すように、目視にて、ブラケット１の第１の溝５をＦＡＣＣ１１に合わせ、第２の溝６（６Ａ、６Ｂ）を歯のミッドトランスバースプレーン１２に合わせる。これによって、ブラケット１を確実かつ簡単に歯１０の適正位置に装着することができ、歯列矯正を有効に行うことができる。
【００２０】
次に、本発明の第２の実施の形態として、いわゆるトルクインフェイス型の歯列矯正用ブラケットに本発明を適用した場合について、図４及び図５を参照しながら説明する。
【００２１】
トルクインフェイス型のブラケットは、図４（ｃ）及び図５に示すように、タイウイング２３（２３Ａ、２３Ｂ）を備え、スロット２４（２４Ａ、２４Ｂ）の底面２４ａと、本体２２の底面２２ａとが平行ではなく、スロット２４の底面２４ａ上に位置するとともにこのスロット２４の長手方向に延びる中心線２４ｂを含み、スロット２４の底面２４ａに対して垂直な面が本体２２の底面２２ａの中心点２２ｂを通過しないことが特徴である。そのため、図１１に示すように、歯９６のＦＡポイント９４に一致させるべきブラケット９０の目標点１００と、本体９９の底面９９ａの中心点９９ｂとが大きくずれ、ブラケット９０の目標点１００をＦＡポイント９４に位置決めするのが容易ではなく、ブラケット９０のベースポイント９８を歯９６のミッドトランスバースプレーン９２に合わせるのは容易ではないという問題があった。
【００２２】
しかしながら、本発明にかかるブラケット２１では、図４及び図５に示すように、上記第１の実施の形態における第１の溝５と同様の第１の溝２５に加え、スロット２４の底面２４ａ上に位置するとともにこのスロット２４の長手方向に延びる中心線２４ｂを含み、スロット２４の底面２４ａに対して垂直な面と、本体２２の表面とが交差してできる輪郭線に目印としての幅の狭い第２の溝２６（２６Ａ、２６Ｂ）が形成されているため、図５に示すように、この第２の溝２６の本体２２の縁部に位置する端部２６ａを歯３９のミッドトランスバースプレーン３８に合わせることによって、ブラケット２１のベースポイント２４ｃを歯３９のミッドトランスバースプレーン３８に合わせることができ、歯列矯正を有効に行うことができる。
【００２３】
次に、本発明の第３の実施の形態として、いわゆるトルクインベース型の歯列矯正用ブラケットに本発明を適用した場合について、図６及び図７を参照しながら説明する。
【００２４】
トルクインベース型のブラケットは、図６（ｃ）及び図７に示すように、タイウイング４３（４３Ａ、４３Ｂ）を備え、スロット４４（４４Ａ、４４Ｂ）の底面４４ａと、本体４２の底面４２ａとが平行ではなく、スロット４４の底面４４ａ上に位置するとともにこのスロット４４の長手方向に延びる中心線４４ｂを含み、スロット４４の底面４４ａに対して垂直な面が本体４２の底面４２ａの中心点４２ｂを通過することが特徴である。
【００２５】
本発明にかかるブラケットでは、上記第１の実施の形態における第１の溝５と同様の第１の溝４５に加え、スロット４４の底面４４ａ上に位置するとともにこのスロット４４の長手方向に延びる中心線４４ｂを含み、スロット４４の底面４４ａに対して垂直な面と、本体４２の表面とが交差してできる輪郭線に目印としての幅の狭い第２の溝４６（４６Ａ、４６Ｂ）が形成されているため、図７に示すように、この第２の溝４６の本体４２の縁部に位置する端部４６ａを歯５９のミッドトランスバースプレーン５８に合わせることによって、ブラケット４１のベースポイント４４ｃを歯５９のミッドトランスバースプレーン５８に合わせることができ、歯列矯正を有効に行うことができる。
【００２６】
尚、上記目印としての溝５、６、２５、２６、４５、４６は、輪郭線の全部に設けなくとも、本体２、２２、４２の縁部近傍にのみ設けるようにしてもよい。また、溝でなくとも、突条、突起、切欠き等であってもよい。さらに、上記目印としての溝５、６、２５、２６、４５、４６のように、ブラケットを直接加工する場合に限らず、ブラケットの表面に塗料等で印を付け、その印をブラケットの位置決めの目印として利用した後、印を消してしまうような場合も本発明に含まれる。
【００２７】
また、上述のようにブラケットに直接位置決めのための目印を付すのではなく、例えば、ブラケットのスロットに治具を装着し、治具の一部を利用して、上記輪郭線の全部または一部に設けた溝等と同様の機能を発揮させることも本発明に含まれるものとする。
【００２８】
次に、本発明の第４の実施の形態として、特に間接法、すなわち、ブラケットを患者の口腔模型の上で、本来患者の歯列上の装着されるべき位置に仮に接着し、この状態のブラケットを患者の口腔内に適正に移動させて歯に装着する歯列矯正方法に好適なブラケットについて説明する。
【００２９】
図８に示すように、このブラケット６１は、図４に示したトルクインフェイス型のブラケット２１のスロット２４の底面２４ａ上に位置するとともにスロット２４の長手方向に延びる中心線２４ｂを含み、スロット２４の底面２４ａに対して垂直な面と、本体２２の底面２２ａとが交差してできる直線と、スロット２４の中心線２４ｂに対して垂直な面であって本体２２を２分する面とが交差してできる点（目標点）２７を通過する直線に沿って、本体２２の裏面２２ａからブラケット６１の表面を貫通する貫通孔６２を穿設したものである。
【００３０】
このブラケット６１を使用するにあたっては、図９に示すように、ブラケット６１の貫通孔６２に針状の治具７１を貫通させ、予め歯列模型の歯７４に印をしたＦＡポイント７３に治具７１の先端を固定することにより、ブラケット６１の底面の目標点２７を位置決めし、さらに、上述のようにブラケット６１の第２の溝２６と歯７４のミッドトランスバースプレーン３８を合わせることによって、歯７４にブラケット６１を位置決めした後、本出願人による実用新案登録第３０９７０６９号にかかる歯列矯正の間接法におけるブラケットのトランスファートレー等を用いることによって、ブラケット６１を容易かつ確実に患者の歯に位置決めすることができる。
【００３１】
尚、上記第４の実施の形態においては、貫通孔６２をトルクインフェイス型のブラケット４１に用いた場合について説明したが、図１及び図２に示した標準型のブラケット１、及び図６に示したトルクインベース型のブラケット４１に用いることもできる。また、上記実施の形態においては、貫通孔６２を治具７１を用いて位置決めした後、第２の溝２６とミッドトランスバースプレーン３８を合わせてブラケット６１を歯７４の表面に適正に位置決めしたが、第２の溝２６を用いずに、従来のようにブラケットの中心とＦＡＣＣとを合わせることによっても、ブラケット６１を歯の表面に適正に位置決めすることができる。
【００３２】
さらに、上記第４の実施の形態においては、貫通孔６２をブラケット６１に形成したが、貫通孔６２ではなく、ブラケット６１の目標点２７に突起または凹部を形成し、予め歯列模型の歯７４のＦＡポイント７３に形成した凹部または突起と係合させることにより、直接印をしたＦＡポイント７３に目標点２７を合わせることができる。この場合、ブラケット６１の底面の目標点２７に形成した突起または凹部、及び歯７４のＦＡポイント７３に形成した凹部または突起は、それらの断面が円形に限らず、四角形、三角形であってもよい。また、これらの突起または凹部は、ブラケット６１の製造時または歯列模型の歯の製作時に形成されている必要はなく、間接法において、ブラケットを患者の口腔模型の上で、本来患者の歯列上に装着されるべき位置に仮に接着する前に形成されていれば足りる。
【００３３】
尚、上記本発明にかかるブラケットは、大臼歯を含むすべての歯に適用することができるとともに、舌測用のブラケットにも適用することができる。
【図面の簡単な説明】
【００３４】
【図１】本発明にかかる歯列矯正用ブラケットの第１の実施の形態を示す図であって、（ａ）は正面図、（ｂ）は平面図、（ｃ）は側面図である。
【図２】図１のブラケットの斜視図である。
【図３】図１のブラケットの歯への装着要領を説明するための図であって、（ａ）は歯の基準線及び基準点を説明するための図、（ｂ）はブラケットの歯への装着要領を説明するための正面図、（ｃ）は（ｂ）の側面図である。
【図４】本発明にかかるブラケットの第２の実施の形態を示す図であって、（ａ）は正面図、（ｂ）は平面図、（ｃ）は側面図である。
【図５】図４のブラケットの使用方法の説明図である。
【図６】本発明にかかるブラケットの第３の実施の形態を示す図であって、（ａ）は正面図、（ｂ）は平面図、（ｃ）は側面図である。
【図７】図６のブラケットの使用方法の説明図である。
【図８】本発明にかかるブラケットの第４の実施の形態を示す図であって、（ａ）は正面図、（ｂ）は平面図、（ｃ）は側面図である。
【図９】図８のブラケットの使用方法の説明図である。
【図１０】ブラケットの歯への装着要領を説明するための図であって、（ａ）は歯の基準線及び基準点を説明するための図、（ｂ）はブラケットの歯への装着要領を説明するための正面図、（ｃ）は（ｂ）の側面図、（ｄ）は（ｃ）ブラケット装着部の拡大図である。
【図１１】従来のトルクインフェイス型のブラケットを歯に装着する要領を説明するための概略図である。
【符号の説明】
【００３５】
１      ブラケット
２      本体
２ａ    底面
２ｂ    中心点
３（３Ａ、３Ｂ）        タイウイング
４（４Ａ、４Ｂ）        スロット
４ａ    底面
４ｂ    中心線
４ｃ    ベースポイント
５      第１の溝
６（６Ａ、６Ｂ）        第２の溝
１０    歯
１１    ＦＡＣＣ
１２    ミッドトランスバースプレーン
２１    ブラケット
２２    本体
２２ａ  底面
２２ｂ  中心点
２３（２３Ａ、２３Ｂ）  タイウイング
２４（２４Ａ、２４Ｂ）  スロット
２４ａ  底面
２４ｂ  中心線
２４ｃ  ベースポイント
２５    第１の溝
２６（２６Ａ、２６Ｂ）  第２の溝
３８    ミッドトランスバースプレーン
３９    歯
４１    ブラケット
４２    本体
４２ａ  底面
４２ｂ  中心点
４３（４３Ａ、４３Ｂ）  タイウイング
４４（４４Ａ、４４Ｂ）  スロット
４４ａ  底面
４４ｂ  中心線
４４ｃ  ベースポイント
４５    第１の溝
４６（４６Ａ、４６Ｂ）  第２の溝
５９    歯
６１    ブラケット
６２    貫通孔
７１    治具
７３    ＦＡポイント
７４    歯
８１    ＦＡＣＣ
８２    ミッドトランスバースプレーン
８４    ブラケット
８５    中心線
８６    スロット
８６ａ  底面
８６ｂ  ベースポイント
９０    ブラケット
９１    スロット
９１ａ  底面
９２    ミッドトランスバースプレーン
９４    ＦＡポイン
９６    歯
９８    ベースポイント
９９    本体
９９ａ  底面
９９ｂ  中心点
１００  目標点
【図１】
2008029861.tif 000003
【図２】
2008029861.tif 000004
【図３】
2008029861.tif 000005
【図４】
2008029861.tif 000006
【図５】
2008029861.tif 000007
【図６】
2008029861.tif 000008
【図７】
2008029861.tif 000009
【図８】
2008029861.tif 000010
【図９】
2008029861.tif 000011
【図１０】
2008029861.tif 000012
【図１１】
2008029861.tif 000013
【手続補正書】
【提出日】平成19年11月1日(2007.11.1)
【手続補正１】
【補正対象書類名】特許請求の範囲
【補正対象項目名】全文
【補正方法】変更
【補正の内容】
【特許請求の範囲】
【請求項１】
本体の底面とアーチワイヤスロットの底面とが平行でない歯列矯正用ブラケットであって、
アーチワイヤスロットの底面上に位置するとともに該アーチワイヤスロットの長手方向に延びる中心線を含み、該アーチワイヤスロットの底面に対して垂直な面の方向を示す手段を有することを特徴とする歯列矯正用ブラケット。
【請求項２】
前記手段は、前記アーチワイヤスロットの底面上に位置するとともに該アーチワイヤスロットの長手方向に延びる中心線を含み、該アーチワイヤスロットの底面に対して垂直な面と、前記本体の側面とが交差してできる輪郭線の全部または一部に付した塗料、該輪郭線の全部または一部に形成した突条、突起、溝及び切欠きから選択される一種又は二種以上であることを特徴とする請求項１に記載の歯列矯正用ブラケット。
【手続補正２】
【補正対象書類名】明細書
【補正対象項目名】００１０
【補正方法】変更
【補正の内容】
【００１０】
上記目的を達成するため、本発明は、本体の底面とアーチワイヤスロットの底面とが平行でない歯列矯正用ブラケットであって、アーチワイヤスロットの底面上に位置するとともに該アーチワイヤスロットの長手方向に延びる中心線を含み、該アーチワイヤスロットの底面に対して垂直な面の方向を示す手段を有することを特徴とする。
【手続補正３】
【補正対象書類名】明細書
【補正対象項目名】００１１
【補正方法】変更
【補正の内容】
【００１１】
そして、本発明によれば、アーチワイヤスロットの底面に対して垂直な面の方向を示す手段を、ブラケットを装着する歯のミッドトランスバースプレーンに合わせることにより、ブラケットのベースポイントをミッドトランスバースプレーン上に位置決めすることができ、さらにブラケットの中心をＦＡＣＣに合わせることにより、ブラケットを矯正対象の歯に精度よく位置決めすることができ、歯列矯正を有効に行うことができる。
【手続補正４】
【補正対象書類名】明細書
【補正対象項目名】００１２
【補正方法】変更
【補正の内容】
【００１２】
前記手段は、前記アーチワイヤスロットの底面上に位置するとともに該アーチワイヤスロットの長手方向に延びる中心線を含み、該アーチワイヤスロットの底面に対して垂直な面と、前記本体の側面とが交差してできる輪郭線の全部または一部に付した塗料、該輪郭線の全部または一部に形成した突条、突起、溝及び切欠きから選択される一種又は二種以上とすることができる。